(57)【要約】  記録媒体と記録媒体のデータ記録及び再生方法が提供される。ランドとグルーブとが形成されたブルーレイディスク（ＢＤ）のような記録媒体のＢＣＡ（Ｂｕｒｓｔ  Ｃｕｔｔｉｎｇ  Ａｒｅａ）又はＰＩＣ（Ｐｅｒｍａｎｅｎｔ  Ｉｎｆｏｒｍａｔｉｏｎ  ＆  Ｃｏｎｔｒｏｌ  ｄａｔａ）領域のような特定領域に、オングルーブレコーディング（Ｏｎ−Ｇｒｏｏｖｅ  Ｒｅｃｏｒｄｉｎｇ）方式又はイングルーブレコーディング（Ｉｎ−Ｇｒｏｏｖｅ  Ｒｅｃｏｒｄｉｎｇ）方式のうちのどちらの方式がデータを記録するのに使用されているか又は使用されるかを指し示す識別情報が記録される。特定領域に記録された識別情報に基づいて選択されたオングルーブレコーディング方式又はイングルーブレコーディング方式を用いてデータが記録媒体に記録又は記録媒体から再生される。これにより、イングルーブレコーディング方式を記録媒体に下位互換性を有して適用することができる。
2007529847.tif 000002
【特許請求の範囲】
【請求項１】
イングルーブ（Ｉｎ−Ｇｒｏｏｖｅ）レコーディング方式およびオングルーブ（Ｏｎ−Ｇｒｏｏｖｅ）レコーディング方式のうちのどちらのレコーディング方式を用いてデータが記録されるのかを指し示す識別情報を記録媒体の特定領域に記録することを備えることを特徴とする記録媒体のデータ記録方法。
【請求項２】
前記記録媒体は、高密度光ディスクであって、再書込み可能なブルーレイディスク（ＢＤ−ＲＥ）又は記録可能なブルーレイディスク（ＢＤ−Ｒ）であることを特徴とする請求項１に記載の方法。
【請求項３】
前記特定領域は前記高密度光ディスクのＢＣＡ（Ｂｕｒｓｔ  Ｃｕｔｔｉｎｇ  Ａｒｅａ）及び／又はリードイン領域に割り当てられることを特徴とする請求項２に記載の方法。
【請求項４】
前記特定領域は前記リードイン領域のＰＩＣ（Ｐｅｒｍａｎｅｎｔ  Ｉｎｆｏｒｍａｔｉｏｎ  ＆  Ｃｏｎｔｒｏｌ  ｄａｔａ）領域に割り当てられることを特徴とする請求項３に記載の方法。
【請求項５】
前記識別情報は前記オングルーブレコーディング方式又は前記オングルーブレコーディング方式の代わりに留保された状態を指し示すことを特徴とする請求項１に記載の方法。
【請求項６】
データを記録するためにオングルーブレコーディング方式およびイングルーブレコーディング方式のうちのどちらが使われるかを指し示す識別情報が記録された特定領域を備えたことを特徴とする記録媒体。
【請求項７】
前記記録媒体は、高密度光ディスクであって、再書込み可能なブルーレイディスク（ＢＤ−ＲＥ）又は記録可能なブルーレイディスク（ＢＤ−Ｒ）であることを特徴とする請求項６に記載の記録媒体。
【請求項８】
前記特定領域はＢＣＡ（Ｂｕｒｓｔ  Ｃｕｔｔｉｎｇ  Ａｒｅａ）及び／又はリードイン領域であることを特徴とする請求項７に記載の記録媒体。
【請求項９】
前記識別情報は前記リードイン領域のＰＩＣ（Ｐｅｒｍａｎｅｎｔ  Ｉｎｆｏｒｍａｔｉｏｎ  ＆  Ｃｏｎｔｒｏｌ  ｄａｔａ）領域に記録されていることを特徴とする請求項８に記載の記録媒体。
【請求項１０】
前記識別情報は前記オングルーブレコーディング方式又は前記オングルーブレコーディング方式の代わりに留保された状態を指し示すことを特徴とする請求項６に記載の高密度光ディスク。
【請求項１１】
記録媒体上にデータを記録するのにオングルーブレコーディング方式およびイングルーブレコーディング方式のうちのどちらのレコーディング方式が使用されている又は使用されるかを判別するステップ（ａ）、及び
前記（ａ）ステップの結果によってデータを記録又は再生するステップ（ｂ）を備えることを特徴とする記録媒体のデータ記録／再生方法。
【請求項１２】
前記ステップ（ａ）は、前記記録媒体のＢＣＡ（Ｂｕｒｓｔ  Ｃｕｔｔｉｎｇ  Ａｒｅａ）又はリードイン領域に記録された識別情報に基づくことを特徴とする請求項１１に記載の方法。
【請求項１３】
前記識別情報は前記リードイン領域のＰＩＣ（Ｐｅｒｍａｎｅｎｔ  Ｉｎｆｏｒｍａｔｉｏｎ  ＆  Ｃｏｎｔｒｏｌ  ｄａｔａ）領域に記録されていることを特徴とする請求項１２に記載の方法。
【請求項１４】
前記ステップ（ｂ）は、前記ステップ（ａ）の結果によって前記記録媒体にデータの記録又は再生するためのサーボ動作を制御するステップを含むことを特徴とする請求項１１に記載の方法。
【請求項１５】
記録媒体の特定領域に記録されたデータをオングルーブレコーディング方式に対応する再生方式でデコーディングするステップ（ａ）、及び、
オングルーブレコーディング方式に対応する前記再生方式によりデコーディングが正常に遂行されない場合、イングルーブレコーディング方式でデータを記録又は前記イングルーブレコーディング方式に対応する再生方式でデータを再生するステップ（ｂ）を備えることを特徴とする記録媒体のデータ記録／再生方法。
【請求項１６】
前記特定領域はリードイン領域であることを特徴とする請求項１５に記載の方法。
【請求項１７】
前記特定領域は前記リードイン領域内のバイフェーズ方式で変調したＰＩＣ領域であることを特徴とする請求項１６に記載の方法。
【請求項１８】
前記ステップ（ｂ）は、前記オングルーブレコーディング方式に対応する再生方式によるデコーディングが正常に遂行されない場合、前記記録媒体のデータ記録又は再生のためのサーボ動作を変更するステップを備えることを特徴とする請求項１５に記載の方法。
【発明の詳細な説明】
【技術分野】
【０００１】
本発明はランドとグルーブが形成されたブルーレイディスク（ＢＤ（Ｂｌｕ−ｒａｙ  Ｄｉｓｃ））のような記録媒体と記録媒体のデータ記録及び再生方法に関する。
【背景技術】
【０００２】
長時間の高品質のオーディオデータとビデオデータを保存することができる新しい高密度光ディスク、例えば、再書込み可能なブルーレイディスク（ＢＤ−ＲＥ（Ｂｌｕ−ｒａｙ  Ｄｉｓｃ−Ｒｅｗｒｉｔａｂｌｅ））の標準化が急速に進展することによって、近い将来に関連製品が開発され商用化されることが期待されている。
【０００３】
ＢＤ−ＲＥは、図１に示されているように、ディスクの内側のセクションにクランピング領域、トランジション領域、ＢＣＡ（Ｂｕｒｓｔ  Ｃｕｔｔｉｎｇ  Ａｒｅａ）領域、及びリードイン領域（Ｌｅａｄ−Ｉｎ  Ａｒｅａ）が連続的に配置され、ディスクの中心にデータ領域（Ｄａｔａ  Ａｒｅａ）が配置され、ディスクの外側のセクションにリードアウト領域（Ｌｅａｄ−Ｏｕｔ  Ａｒｅａ）が配置されているディスク構造を有する。
【０００４】
リードイン領域は、第１ガード（Ｇｕａｒｄ  １）領域、ＰＩＣ（Ｐｅｒｍａｎｅｎｔ  Ｉｎｆｏｒｍａｔｉｏｎ  ＆  Ｃｏｎｔｒｏｌ  ｄａｔａ）領域、第２ガード（Ｇｕａｒｄ  ２）領域、及び情報２（Ｉｎｆｏ  ２）領域及びＯＰＣ（Ｏｐｔｉｍｕｍ  Ｐｏｗｅｒ  Ｃｏｎｔｒｏｌ）領域に区分されている。リードイン領域の第１ガード領域とＰＩＣ領域は、事前にデータがあらかじめ記録されている領域（Ｐｒｅ−ｒｅｃｏｒｄｅｄ  ａｒｅａ）である。リードイン領域の他の領域、データ領域、及びリードアウト領域は、データを再書込み可能な再書込み可能領域（Ｒｅｗｒｉｔａｂｌｅ  ａｒｅａ）である。
【０００５】
ＰＩＣ領域は永久的に保存しなければならないディスクの主要情報が保存される領域である。ＰＩＣ領域に、高周波変調（ＨＦＭ（Ｈｉｇｈ  Ｆｒｅｑｕｅｎｃｙ  Ｍｏｄｕｌａｔｅｄ））グルーブが形成される。ＨＦＭグルーブは、図２に示されているように、バイフェーズ変調（Ｂｉ−Ｐｈａｓｅ  Ｍｏｄｕｌａｔｅｄ）されてディスク情報（Ｄｉｓｃ  Ｉｎｆｏｒｍａｔｉｏｎ）を保存する。
【０００６】
ＢＤ−ＲＥの開発と共に、ＢＤコンソーシアムのメンバーで、再生専用ブルーレイディスク（ＢＤ−ＲＯＭ）とライトワンス（一回書込み可能な）又は記録可能なブルーレイディスク（ＢＤ−Ｒ）に対する標準化が議論されている。例えば、ＢＤ−Ｒは、図３に示されているように、インナー（Ｉｎｎｅｒ）領域、クランピング（Ｃｌａｍｐｉｎｇ）領域、トランジション（Ｔｒａｎｓｉｔｉｏｎ）領域、情報（Ｉｎｆｏｒｍａｔｉｏｎ）領域、及びリム（Ｒｉｍ）領域を有する。情報領域はバーコードフォーマットで情報が記録されるＢＣＡ、及びディスク情報が記録されるＰＩＣ領域に区分されている。
【０００７】
ＢＤ−ＲＥは、図４に示されているようにグルーブ上にデータを記録するオングルーブレコーディング（Ｏｎ−Ｇｒｏｏｖｅ  Ｒｅｃｏｒｄｉｎｇ）を採択している。
【０００８】
オングルーブレコーディングは、グルーブがランド（Ｌａｎｄ）よりディスクのビーム入射面（Ｅｎｔｒａｎｃｅ  Ｓｕｒｆａｃｅ）に近く位置しているレコーディング方式である。これは、グルーブがディスク上面から見て陥没されていることを示している。
【０００９】
他方、ＢＤ−Ｒを、一般的なＣＤ−Ｒと同じように染料物質（Ｄｙｅ  Ｍａｔｅｒｉａｌ）をスピンコーティング（Ｓｐｉｎ  Ｃｏａｔｉｎｇ）で塗布する低コスト製造方式で製造することができる。製造されたＢＤ−Ｒのジッタ特性を改善するためには、図４に示されているような、グルーブ上にデータを記録するオングルーブレコーディング（Ｏｎ−Ｇｒｏｏｖｅ  Ｒｅｃｏｒｄｉｎｇ）より、図５に示されているような、グルーブ内にデータを記録するイングルーブレコーディング（Ｉｎ−Ｇｒｏｏｖｅ  Ｒｅｃｏｒｄｉｎｇ）が適している。
【００１０】
イングルーブレコーディングは、グルーブがランドよりディスクのビーム入射面から遠く位置しているレコーディング方式である。これは、グルーブがディスク上面から見て突出（ｅｌｅｖａｔｅｄ）していることを示している。
【発明の開示】
【発明が解決しようとする課題】
【００１１】
しかし、ＢＤ−Ｒにデータをイングルーブレコーディング方式で記録する場合、ディスクレコーダ又はディスクプレーヤーのような光ディスクは、イングルーブレコーディング方式とオングルーブレコーディング方式のそれぞれに対応する再生方式のうちから装置内に挿入された光ディスクに適した再生方式を選択する必要がある。しかし、このための効果的な解決法がまだ提供されておらず、その解決法の提供が緊急に求められている。
【課題を解決するための手段】
【００１２】
そこで、本発明は、上記の課題を勘案して創作されたものであって、本発明の目的は、ランドとグルーブが形成された記録媒体上にデータを記録するのにオングルーブレコーディング方式又はイングルーブレコーディング方式が使用されていている又は使用されることを指し示す情報を管理する方法を提供することにある。
【００１３】
本発明の他の目的は、データがオングルーブレコーディング方式又はイングルーブレコーディング方式で記録されている、又は記録される記録媒体に対して適切な記録及び再生方式を選択して記録媒体にデータの記録及び再生動作を正常に遂行する方法を提供することにある。
【００１４】
本発明のさらに他の目的は、オングルーブレコーディング方式又はイングルーブレコーディング方式でデータを記録することができ、データの記録方式を指し示す情報を管理することができる記録媒体を提供することにある。
【００１５】
本発明の一態様によれば、上記および他の目的は、記録媒体にデータを記録する方法の提供によって達成され、この方法は、イングルーブレコーディング方式又はオングルーブレコーディング方式のうちのどちらのレコーディング方式を用いてデータを記録するのかを指し示す識別情報を記録媒体の特定領域に記録することを備える。
【００１６】
本発明の他の態様によれば、オングルーブレコーディング方式およびイングルーブレコーディング方式のうちのどちらを使用してデータが記録されることを指し示す識別情報が記録された特定領域を備える記録媒体が提供される。
【００１７】
本発明のさらに他の態様によれば、記録媒体にデータを記録するのにオングルーブレコーディング方式およびイングルーブレコーディング方式のうちのどちらが使用されている又は使用されるかを判別するステップ（ａ）、及びステップ（ａ）の結果によって記録媒体にデータを記録又は再生するステップ（ｂ）を備える記録媒体のデータ記録／再生方法が提供される。
【００１８】
好ましくは、記録媒体は、再記録可能なブルーレイディスク（ＢＤ−ＲＥ）又は記録可能なブルーレイディスク（ＢＤ−Ｒ）であって、特定領域は記録媒体のＢＣＡ（Ｂｕｒｓｔ  Ｃｕｔｔｉｎｇ  Ａｒｅａ）又はリードイン領域に割り当てられることを特徴とする。特定領域はリードイン領域内のＰＩＣ（Ｐｅｒｍａｎｅｎｔ  Ｉｎｆｏｒｍａｔｉｏｎ  ＆  Ｃｏｎｔｒｏｌ  ｄａｔａ）領域に割り当てられることもある。
【００１９】
好ましくは、識別情報は、オングルーブレコーディング方式又はオングルーブレコーディング方式ではない留保された状態を指し示す。
【００２０】
また、本発明のまた他の態様によれば、記録媒体の特定領域に記録されたデータをオングルーブレコーディング方式に対応する再生方式でデコーディングするステップ（ａ）、及びオングルーブレコーディング方式に対応する再生方式によりデコーディングが正常に遂行されない場合、イングルーブレコーディング方式に対応する再生方式でデータを記録又はイングルーブレコーディング方式でデータを再生するステップ（ｂ）を備える記録媒体のデータ記録／再生方法を提供する。
【００２１】
好ましくは、特定領域はバイフェーズ方式で変調されたＰＩＣ領域である。
【００２２】
好ましくは、ステップ（ｂ）は、オングルーブレコーディング方式に対応する再生方式によるデコーディングが正常に遂行されない場合、記録媒体のデータ記録又は再生のためのサーボ動作を変更するステップを含む。
【発明を実施するための最良の形態】
【００２３】
異なる図における同一の数字によって言及される本発明の特徴、要素、及び態様は１つ又はそれ以上の実施形態に係る同一な、等価な、又は類似する特徴、要素、又は態様を表す。
【００２４】
以下、本発明に係る記録媒体と記録媒体のデータ記録及び再生方法の望ましい実施形態について、添付した図面を参照しながら詳細に説明する。
【００２５】
本発明を、ＢＤ−ＲはもちろんＢＤ−ＲＥ、ＢＤ−ＲＯＭのような多様なタイプのブルーレイディスクに適用することができる。また、本発明に係るデータ記録方法をＢＤ−Ｒ等を作成（Ａｕｔｈｏｒｉｎｇ）する装置に適用することができ、本発明に係るデータ記録及び再生方法をディスクレコーダ又はディスクプレーヤーのような光ディスク装置に適用することができる。
【００２６】
本発明に係るデータ記録方法が適用されるディスク作成装置は、図６に示されているＢＤ−Ｒのデータゾーン（Ｄａｔａ  Ｚｏｎｅ）にデータを記録する方式を指し示すための識別情報を、記録する。
【００２７】
図６に示されているように、オングルーブレコーディング方式又はイングルーブレコーディング方式を指し示すフラッグビット（例えば、Ｒｅｃｏｒｄｉｎｇ  Ｆｌａｇ）を、ＢＤ−ＲのＢＣＡにバーコードフォーマットで記録することができる。フラッグビットを、ディスク情報（ＤＩ）と共に、ＢＤ−ＲのＰＩＣ領域に記録することができる。フラッグビットを、ＢＣＡ又はＰＩＣ領域のうちいずれか１領域に記録又はＢＣＡ及びＰＩＣ領域の両方に記録することもできる。
【００２８】
フラッグビットが‘１’の場合、それはオングルーブレコーディング方式を指し示し、フラッグビットが‘０’の場合、それはイングルーブレコーディング方式を指し示す又はオングルーブレコーディング方式の代わりに留保された（Ｒｅｓｅｒｖｅｄ）状態を指し示す。
【００２９】
フラッグビットが留保された状態を指し示す場合、レコーディングシステムは、デフォルト（Ｄｅｆａｕｌｔ）でオングルーブレコーディング方式を使用してディスクに対するデータの記録及び再生動作を開始する。しかし、ディスクのＰＩＣ領域のＨＦＭ信号がデコーディングされない場合、対応するレコーディング方式はオングルーブレコーディング方式ではく、イングルーブレコーディング方式だと判断されて、トラッキング極性（Ｔｒａｃｋｉｎｇ  Ｐｏｌａｒｉｔｙ）が変更される。これにより、媒体（すなわち、ディスク）に対して、将来にイングルーブレコーディング方式でデータを記録することができるという記録方法の拡張性が提供され、レコーディングシステムは、オングルーブレコーディング方式だけ支援する従来の記録システムとの互換性を維持することもできるようになる。これらは、フラッグビットに留保された状態を割り当てることにより提供される利点である。
【００３０】
本発明に係る他の実施形態によるデータ記録及び再生方法を、ディスクレコーダ又は再生専用のディスクプレーヤーのような光ディスク装置に適用することができる。ディスクレコーダは、図７に示されているように、光ピックアップ１１、レコードシステム１２、エンコーダー１３、プレイシステム１４、デコーダ１５、マイコン１６、メモリー１７を含むことができる。
【００３１】
装置内にＢＤ−Ｒ１０が挿入されると、マイコン１６は、プレイシステム１４の動作を制御して、挿入されたＢＤ−Ｒ１０のＢＣＡ又はＰＩＣ領域に記録されたフラッグビットを確認する。
【００３２】
確認されたフラッグビットが‘１’の場合、マイコン１６は、ＢＤ−Ｒにデータがオングルーブレコーディング方式で記録されている又は記録されることを判別して、オングルーブレコーディング方式でデータを記録又はオングルーブレコーディング方式に対応する再生方式でデータを再生する。確認されたフラッグビットが‘０’の場合、マイコン１６は、ＢＤ−Ｒにデータがオングルーブレコーディング方式の代わりに他の方式（すなわち、イングルーブレコーディング方式で）記録されている又は記録されるかを判別し、イングルーブレコーディング方式でデータを記録したり又はイングルーブレコーディング方式に対応する再生方式でデータを再生する。
【００３３】
また、本発明の他の実施形態では、マイコン１６は、最初にオングルーブレコーディング方式に対応する再生方式によりバイフェーズ変調によりＨＦ（Ｈｉｇｈ  Ｆｒｅｑｕｅｎｃｙ（高周波））変調したＰＩＣ領域のデータをデコードする。デコーディング動作が正常に遂行された場合、ＢＤ−Ｒにデータがオングルーブレコーディング方式で記録されている又は記録されることを判別して、オングルーブレコーディング方式とオングルーブレコーディング方式に対応する再生方式をそのまま維持する。
【００３４】
他方、デコーディング動作が正常に遂行されない場合、マイコン１６は、ＢＤ−Ｒにデータがオングルーブレコーディング方式ではない他の方式（すなわち、イングルーブレコーディング方式）で記録されている又は記録されることを判別して、記録及び再生方式をイングルーブレコーディング方式とイングルーブレコーディング方式に対応する再生方式に変更して、データ記録及び再生動作を遂行する。
【００３５】
上記の記述より明らかなように、本発明に係る、記録媒体と、記録媒体にデータを記録し、記録媒体からデータを再生するための記録方法には、改善されたジッタ特性を有するイングルーブレコーディング方式を、記録媒体に、下位互換性を有して適用することができるようになるという利点がある。
【００３６】
本発明の望ましい実施形態は例示の目的のために開示されたものであるが、当業者ならば添付された特許請求の範囲に開示された本発明の技術的範囲とその技術的思想から逸脱することなく、変更、付加、及び代替が可能であることを理解できるであろう。
【図面の簡単な説明】
【００３７】
【図１】再書込み可能なブルーレイディスク（ＢＤ−ＲＥ）に対するディスク構造を示した図である。
【図２】再記録可能なブルーレイディスクのＰＩＣ領域に形成される高周波変調（ＨＦＭ）グルーブを示した図である。
【図３】記録可能なブルーレイディスク（ＢＤ−Ｒ）に対するディスク構造を示した図である。
【図４】オングルーブレコーディング方式の例を示した図である。
【図５】イングルーブレコーディング方式の例を示した図である。
【図６】本発明に係る記録媒体の構造を示した図である。
【図７】本発明に係る記録媒体のデータ記録及び再生方法が適用される光ディスク装置の構成要素を示した図である。
【図１】
2007529847.tif 000003
【図２】
2007529847.tif 000004
【図３】
2007529847.tif 000005
【図４】
2007529847.tif 000006
【図５】
2007529847.tif 000007
【図６】
2007529847.tif 000008
【図７】
2007529847.tif 000009
【国際調査報告】
2007529847.tif 000010